【手続補正書】
【提出日】平成21年11月16日(2009.11.16)
【手続補正１】
【補正対象書類名】特許請求の範囲
【補正対象項目名】全文
【補正方法】変更
【補正の内容】
【特許請求の範囲】
【請求項１】
少なくとも１つの非円形、定直径外接壁によって形成された少なくとも１つの内部チャンバを有する容器と、
回転可能なシャフトであって、前記チャンバの中に延在し、かつ前記シャフトの長手方向軸線のまわりで回転可能である、シャフトと、
前記シャフト上に摺動可能に取り付けられたロータであって、前記ロータが前記チャンバ内で回転するにつれて、前記シャフトの回転軸線に対して実質的に垂直である軸線に沿って摺動する並進運動のための、ロータと
を含む、デバイス。
【請求項２】
前記ロータは、前記シャフト上に取り付けられたときに、前記外接壁と接触する状態になる対向する第１および第２端部を有する長尺本体を含み、前記ロータ本体は、前記シャフトを覆って受け入れられる大きさに作られた長尺開口部をさらに含み、前記シャフトは、前記長尺開口部を通って前記ロータ本体を係合し、前記シャフトと前記ロータ本体との相対回転が防止されると同時に前記シャフトに対する前記ロータ本体の並進運動を可能にする取り付け部分を含む、請求項１に記載のデバイス。
【請求項３】
前記外接壁は、前記チャンバ内で偏っている原点に対して変動する半径を有し、前記外接壁は、前記ロータ本体の長さに対応する定直径を有し、前記シャフトの長手方向軸線が前記原点に位置する状態で、前記シャフトが前記チャンバ内に取り付けられている、請求項１に記載のデバイス。
【請求項４】
前記容器は、少なくとも１つの吸入ポートおよび少なくとも１つの排出ポートをさらに含み、両ポートは、それぞれが少なくとも１つの吸入ポートおよび少なくとも１つの排出ポート用である少なくとも１つの弁と前記チャンバとに流体連通し、少なくとも１つの吸入ポートおよび少なくとも１つの排出ポートのそれぞれと前記チャンバとの間の流体連通を制御する、請求項１に記載のデバイス。
【請求項５】
前記チャンバ内の可燃性混合物に点火するための点火システムをさらに含み、前記点火システムは、前記可燃性混合物に点火するタイミングを合わせて前記チャンバ内で前記ロータの回転を駆動する手段を含む、請求項１に記載のデバイス。
【請求項６】
外側表面および内側表面を有するハウジングであって、前記内側表面は、定直径、原点の中心のまわりで変動する半径、吸入弁ポート、および排出弁ポートを有する少なくとも１つのチャンバを画定する、ハウジングと、
回転の軸線を有する少なくとも１つのロータであって、前記少なくとも１つのロータは、長尺開口部、第１端部、および第２端部を備えた本体を有し、前記第１端部および前記第２端部は、前記ハウジングの前記内側表面と密封的に接触している、少なくとも１つのロータと、
前記少なくとも１つのロータの前記長尺開口部内に摺動可能に受け入れられる１つの端部を有するロータシャフトと
を含む、燃焼装置。
【請求項７】
前記ハウジングは、少なくとも１つの冷却チャンバをさらに含み、前記少なくとも１つの冷却チャンバは、冷却剤を保持し経由させるように機能し、前記内側表面と前記外側表面との間に形成されている、請求項６に記載の燃焼装置。
【請求項８】
前記ロータ内の前記長尺開口部は矩形形状のものであり、前記吸入弁ポートおよび前記排出弁ポートが直径に沿って対向しており、前記ロータシャフトは、少なくとも２つの対
向する平坦表面をさらに含み、前記平坦表面は、前記ロータシャフトの少なくとも一部に沿って長手方向に延在し、かつ前記ロータ内の前記開口部に隣接するロータ表面と少なくとも部分的に接触している、請求項６に記載の燃焼装置。
【請求項９】
少なくとも２つの端部壁、外側表面、および内側表面を有するハウジングであって、前記内側表面がチャンバを画定する、ハウジングと、
吸入弁および排出弁と、
少なくとも２つの対向する平坦表面、第１端部、および第２端部を有する第１シャフトと、
前記吸入弁ポート内に受け入れられた燃料および空気に点火する手段と、
第１端部、第２端部、および前記第１シャフトの平坦表面を摺動可能に受け入れるように適合された長尺開口部を有する少なくとも１つのロータであって、前記ロータは、前記燃焼力に応答して回転するよう機能し、前記ロータの第１端部および第２端部は、前記ハウジングの前記内側表面と回転可能かつ密封的に接触している、少なくとも１つのロータと、
第２シャフトであって、前記第２シャフト、第１端部、および第２端部を横方向に貫通して延在する少なくとも１つの開口部を有し、前記第１端部は前記ハウジングの端部壁上に回転可能に取り付けられ、前記開口部は前記チャンバの前記吸入弁に隣接して配置できる、第２シャフトと、
第３シャフトであって、前記第３シャフト、第１端部、および第２端部を横方向に貫通して延在する少なくとも１つの開口部を有し、前記第１端部は前記ハウジングの端部壁上に回転可能に取り付けられ、前記開口部は前記チャンバの前記排出弁に隣接して配置できる、第３シャフトと、
前記第２シャフトおよび前記第３シャフト内の前記開口部を、それぞれ交代的なパターンで前記吸入弁ポートおよび前記排出弁ポートと周期的に位置合わせする、前記第２シャフトおよび前記第３シャフトを回転させる手段と
を含む、ロータリ燃焼システム。
【請求項１０】
前記第２シャフトおよび前記第３シャフトを回転させる前記手段は、
第１歯車であって、前記第１歯車の周辺部上に間隔をおいて配置された複数の歯付き部材と前記第１歯車の回転の中心に配置された連結デバイスとを有し、前記連結デバイスが前記第１歯車を前記第１シャフトの第２端部に連結している、第１歯車と、
第２歯車であって、前記第２歯車の周辺部上に間隔をおいて配置された複数の歯付き部材と前記第２歯車の回転の中心に配置された連結デバイスとを有し、前記連結デバイスが前記第２歯車を前記第２シャフトの第２端部に連結している、第２歯車と、
第３歯車であって、前記第３歯車の周辺部上に間隔をおいて配置された複数の歯付き部材と前記第３歯車の回転の中心に配置された連結デバイスとを有し、前記連結デバイスが前記第３歯車を前記第３シャフトの第２端部に連結している、第３歯車と
を含み、
前記第１歯車の歯付き部材は、前記第１歯車の両側において、前記第２歯車の歯付き部材と前記第３歯車の歯付き部材とを回転可能に係合し、前記第１歯車は、前記燃焼力に応答する前記ロータの前記回転によって発生される前記第１シャフトからの回転エネルギを受け取ると、前記第２歯車および前記第３歯車を回転させるよう機能する、請求項９に記載のロータリ燃焼システム。
【請求項１１】
前記第１歯車、前記第２歯車、および前記第３歯車上の前記歯付き部材は、前記第２歯車および前記第３歯車を間欠的に回転させるように構成されており、前記チャンバ内の開口部の、前記第２シャフト内の開口部、および前記第３シャフト内の開口部との位置合わせの継続時間を選択的に制御する、請求項１０に記載のロータリ燃焼システム。
【請求項１２】
前記チャンバは、原点のまわりで変動する半径を有する定直径を含み、前記チャンバは、前記チャンバ内での燃焼のための燃料のグレードに適応するような大きさと形状に作られている、請求項９に記載のロータリ燃焼システム。
【請求項１３】
前記チャンバの前記内側表面は、定直径と、前記チャンバに関して前記ロータの長さに対応する半径とを含み、前記チャンバの前記内側表面の前記半径は、前記内側表面の半径の原点から前記内側表面上の点への距離であり、前記ロータは、前記原点のまわりに回転し摺動するように適合されており、前記半径を連続的に変動させる、請求項９に記載のロータリ燃焼システム。
【請求項１４】
前記ロータシャフト上に平行に取り付けられ、前記ハウジング内の別個のチャンバ内で交互に並んで配置されている２つのロータを含む、請求項９に記載のロータリ燃焼システム。
【請求項１５】
前記バルブシャフト内で交互に並んでいる４つのバルブシャフト開口部を含み、前記バルブシャフト開口部は、前記バルブシャフトを通って左右に走っており、前記空気と排気ガスとが前記チャンバを出入りして流れるようにするための経路を形成している、請求項１４に記載のロータリ燃焼システム。
【請求項１６】
間欠歯車構成を含み、前記構成は２つの連続して回転する単一歯付き平歯車を用いており、前記平歯車は２つの間欠的に回転する歯車を駆動し、前記吸入弁および排出弁を開閉する、請求項９に記載のロータリ燃焼システム。
【請求項１７】
前記ロータ２０が輪郭表面１２３を有し、前記輪郭表面１２３は第１ロータセグメント１１０に、対応する第２ロータセグメント１１２の表面積よりも大きな表面積を与えるように形作られ、前記ロータ２０の前記表面の前記輪郭は、前記システムの前記動作サイクルの膨張段階の間に、前記第２ロータセグメント１１２に働く力よりも大きな力が前記第１ロータセグメント１１０に働くことを可能にするように形作られている、請求項９に記載のロータリ燃焼システム。